(57)【要約】【課題】リップル電圧等が発生しない安定した直流出力電圧を得、しかも回路構成を簡単にし、コストを低減可能なスイッチング電源装置を提供すること。【解決手段】入力電圧をリアクトルを介して平滑コンデンサに充電し、その充電電圧をトランスと２つのスイッチング素子により所定周波数で交互にチョッピングし、トランスの出力側に所定周波数の交番電圧を発生させ、整流して出力する装置において、２つのスイッチング素子のうちオン状態となっているスイッチング素子を介してリアクトルに電流を流し、オン状態となっていたスイッチング素子がオフ状態に変化する際にリアクトルに蓄えられたエネルギーを平滑コンデンサに重畳印加して充電電圧を昇圧し、昇圧された充電電圧をオフ状態からからオン状態に変化する他方のスイッチング素子を介してトランスの入力側に入力し、トランスの出力側に所定周波数の交番電圧を発生させ、その交番電圧を整流して出力する。【選択図】        図１
2004304970.tif 000002
【特許請求の範囲】
【請求項１】
直流入力電圧をスイッチング素子により所定周波数でチョッピングし、出力側の整流回路で整流して所定の直流出力電圧を出力するスイッチング電源装置において、
一端が直流入力電圧の入力端に接続されたリアクトルと、
一端同士が接続された一次側の第１巻線および第２巻線と一端同士が接続された二次側の第３巻線および第４巻線を有し、二次側の第３巻線の他端と第４巻線の他端とに出力側の整流回路が接続されたトランスと、
アノードが前記リアクトルの他端に接続され、カソードが前記トランスの一次側の第１巻線の他端に接続された第１のダイオードと、
アノードが前記リアクトルの他端に接続され、カソードが前記トランスの一次側の第１巻線と第２巻線の接続点に接続された第２のダイオードと、
アノードが前記リアクトルの他端に接続され、カソードが前記トランスの一次側の第２巻線の他端に接続された第３のダイオードと、
前記第２のダイオードのカソードに接続されたコンデンサと、
前記第１のダイオードのカソードと接地電位との間に導電路が接続された第１のスイッチング素子と、
前記第３のダイオードのカソードと接地電位との間に導電路が接続された第２のスイッチング素子と、
前記第１および第２のスイッチング素子を、交互に導通する期間を設けた所定周波数の制御信号で駆動する制御回路と
を有することを特徴とするスイッチング電源装置。
【請求項２】
前記第２のダイオードのカソードと前記トランスの一次側の第１巻線と第２巻線の接続点との間に、第２のダイオード側をアノードとする第４のダイオードが接続されていることを特徴とする請求項１に記載のスイッチング電源装置。
【請求項３】
入力電圧をリアクトルを介して平滑コンデンサに充電し、その充電電圧をトランスと２つのスイッチング素子により所定周波数で交互にチョッピングし、トランスの出力側に所定周波数の交番電圧を発生させ、その交番電圧を整流して出力するスイッチング電源装置において、前記２つのスイッチング素子のうちオン状態となっているスイッチング素子を介して前記リアクトルに電流を流し、オン状態となっていたスイッチング素子がオフ状態に変化する際に前記リアクトルに蓄えられたエネルギーを前記平滑コンデンサに重畳印加して該平滑コンデンサの充電電圧を昇圧し、その昇圧された充電電圧をオフ状態からからオン状態に変化する他方のスイッチング素子を介して前記トランスの入力側に入力し、前記トランスの出力側に所定周波数の交番電圧を発生させ、その交番電圧を整流して出力することを特徴とする電圧変換制御方法。
【発明の詳細な説明】
【０００１】
【発明の属する技術分野】
本発明は、直流入力電圧をスイッチング素子により所定周波数でチョッピングし、出力側の整流回路で整流して所定の直流出力電圧を出力するスイッチング電源装置およびその電圧変換制御方法に関するものである。
【０００２】
【従来の技術】
従来において、この種のスイッチング電源装置として、次の特許文献１に開示されたものや、図６に示すように、平滑コンデンサの前段にブーストコンバータ（あるいは前置コンバータ）を設けたものがある。これらは、いずれも力率を改善するように構成したものである。
【０００３】
【特許文献１】
特許第３０８２８７３号公報
【０００４】
図６に示す従来回路は、交流電源電圧をダイオードＤ１〜Ｄ４から成る整流回路ＲＣ１で全波整流し、その直流出力電圧をリアクトルＬ１とダイオードＤ５の直列回路を通して平滑コンデンサＣ１に供給することにより、平滑コンデンサＣ１を充電するように構成し、リアクトルＬ１とダイオードＤ５との接続点に導通路（コレクタ・エミッタ）が接続されたトランジスタＴＲ０を、交流電源周波数よりも十分に高い所定周波数の制御信号でスイッチングし、トランジスタＴＲ０がＯＮからＯＦＦに変化する時に、リアクトルＬ１から発生するエネルギーをダイオードＤ５を通じて平滑コンデンサＣ１に重畳して充電し、平滑コンデンサＣ１の充電電圧を整流回路の出力電圧より昇圧し、その昇圧した電圧をトランスＴ１の一次側巻線Ｎ１，Ｎ２に入力し、トランジスタＴＲ１，ＴＲ２によりチョッピングし、トランスＴ１の二次側巻線Ｎ３，Ｎ４に接続されたダイオードＤ６、Ｄ７、リアクトルＬ２，平滑コンデンサＣ２、抵抗Ｒ１で構成される整流回路ＲＣ２から所定の直流出力電圧を出力するように構成したものである。
【０００５】
トランジスタＴＲ０は、第１の制御回路ＣＯＮＴ１から出力される制御信号により、交流電源周波数よりも十分に高い周波数でスイッチングされる。図７（ａ）にトランジスタＴＲ０のコレクタ電圧ＶＴＲ０の波形を示し、図７（ｂ）にエミッタ・コレクタ間に流れる電流ＩＴＲ０の波形を示している。
制御回路ＣＯＮＴ１は、平滑コンデンサＣ１の充電電圧を監視し、充電電圧が所定電圧になるようにトランジスタＴＲ１のオン時間を制御する。
一方、トランスＴ１の一次側の第１巻線Ｎ１と第２巻線Ｎ２とは一端同士が接続され、第１巻線Ｎ１の他端はトランジスタＴＲ１のコレクタに接続されている。また、トランスＴ１の第２巻線Ｎ２の他端はトランジスタＴＲ２のコレクタに接続されている。
【０００６】
制御回路ＣＯＮＴ２は、制御回路ＣＯＮＴ１とは若干異なる周波数の制御信号により、出力側の整流回路ＲＥＣ２の出力電圧が所定電圧に維持されるようにトランジスタＴＲ１，ＴＲ２をスイッチングさせ、トランスＴ１の一次側の第１巻線Ｎ１、第２巻線Ｎ２に交互に、平滑コンデンサＣ２の出力電圧を所定周波数でチョッピングした電流を流す。図７（ｃ）にトランジスタＴＲ２のコレクタ電圧ＶＴＲ２の波形を示し、図７（ｄ）にエミッタ・コレクタ間に流れる電流ＩＴＲ２の波形を示している。トランジスタＴＲ２のコレクタ電圧およびコレクタ電流は、トランジスタＴＲ２と逆位相であり、図７では省略している。
また、ブーストコンバータ及びプッシュプル型コンバータは独立した制御回路で動作していることから独自の発振周波数で動作している。図７の動作説明は便宜上位相を合わせた図にしている。
【０００７】
【発明が解決しようとする課題】
しかし、図６の従来装置にあっては、平滑コンデンサＣ１の前段に設けたトランジスタＴＲ０と制御回路ＣＯＮＴ１とから成るブーストコンバータと、後段のトランジスタＴＲ３，ＴＲ４およびトランスＴ１からプッシュプル型のコンバータとをそれぞれ別個のスイッチング周波数で動作させているため、両者のスイッチング周波数が接近していた場合には一方のスイッチング周波数の少しの変動によってビート発振が起こり、出力側の整流回路ＲＣ１の出力にリップル電圧が発生し、出力に接続された外部機器に誤動作を生じさせるという問題があった。
また、制御回路を２個設けているため、回路構成が大きくなり、コストも嵩むという問題があった。
【０００８】
本発明はこのような問題を解決するためになされたものであり、その目的は、リップル電圧等が発生しない安定した直流出力電圧を得ることができ、しかも回路構成を簡単にし、コストを低減させることができるスイッチング電源装置およびその電圧変換制御方法を提供することにある。
【０００９】
【課題を解決するための手段】
上記目的を達成するために、本発明は、一端が直流入力電圧の入力端に接続されたリアクトルと、一端同士が接続された一次側の第１巻線および第２巻線と一端同士が接続された二次側の第３巻線および第４巻線を有し、二次側の第３巻線の他端と第４巻線の他端とに出力側の整流回路が接続されたトランスと、アノードが前記リアクトルの他端に接続され、カソードが前記トランスの一次側の第１巻線の他端に接続された第１のダイオードと、アノードが前記リアクトルの他端に接続され、カソードが前記トランスの一次側の第１巻線と第２巻線の接続点に接続された第２のダイオードと、アノードが前記リアクトルの他端に接続され、カソードが前記トランスの一次側の第２巻線の他端に接続された第３のダイオードと、前記第２のダイオードのカソードに接続されたコンデンサと、前記第１のダイオードのカソードと接地電位との間に導電路が接続された第１のスイッチング素子と、前記第３のダイオードのカソードと接地電位との間に導電路が接続された第２のスイッチング素子と、前記第１および第２のスイッチング素子を、交互に導通する期間を設けた所定周波数の制御信号で駆動する制御回路とを備えることを特徴とする。
また、前記第２のダイオードのカソードと前記トランスの一次側の第１巻線と第２巻線の接続点との間に、第２のダイオード側をアノードとする第４のダイオードが接続されていることを特徴とする。
【００１０】
本発明に係る電圧変換制御方法は、入力電圧をリアクトルを介して平滑コンデンサに充電し、その充電電圧をトランスと２つのスイッチング素子により所定周波数で交互にチョッピングし、トランスの出力側に所定周波数の交番電圧を発生させ、その交番電圧を整流して出力するスイッチング電源装置において、前記２つのスイッチング素子のうちオン状態となっているスイッチング素子を介して前記リアクトルに電流を流し、オン状態となっていたスイッチング素子がオフ状態に変化する際に前記リアクトルに蓄えられたエネルギーを前記平滑コンデンサに重畳印加して該平滑コンデンサの充電電圧を昇圧し、その昇圧された充電電圧をオフ状態からからオン状態に変化する他方のスイッチング素子を介して前記トランスの入力側に入力し、前記トランスの出力側に所定周波数の交番電圧を発生させ、その交番電圧を整流して出力することを特徴とする。
【００１１】
【発明の実施の形態】
以下、本発明を実施する場合の一形態を図面により具体的に説明する。
図１は、本発明による電源装置の実施の形態を示す回路構成図である。なお、図１において、図１の従来回路と同一部分は同一符号で示している。
図１に示す本実施形態のスイッチング電源装置は、整流回路ＲＣ１の出力端（直流入力電圧の入力端）に接続されたリアクトルＬ１と、一端同士が接続された一次側の第１巻線Ｎ１および第２巻線Ｎ２および一端同士が接続された二次側の第３巻線Ｎ３および第４巻線Ｎ４を有し、二次側の第３巻線Ｎ３の他端と第４巻線Ｎ４の他端とに出力側の整流回路ＲＣ２が接続されたトランスＴ１と、アノードが前記リアクトルＬ１の他端に接続され、カソードが前記トランスＴ１の一次側の第１巻線Ｎ１の他端に接続された第１のダイオードＤ８と、アノードが前記リアクトルＬ１の他端に接続され、カソードが前記トランスＴ１の一次側の第１巻線Ｎ１と第２巻線Ｎ２の接続点に接続された第２のダイオードＤ５と、アノードが前記リアクトルＬ１の他端に接続され、カソードが前記トランスＴ１の一次側の第２巻線Ｎ２の他端に接続された第３のダイオードＤ９と、前記第２のダイオードＤ５のカソードに接続された平滑コンデンサＣ１と、前記第１のダイオードＤ８のカソードと接地電位との間に導電路（エミッタ・コレクタ）が接続された第１のトランジスタＴＲ１と、前記第３のダイオードＤ９のカソードと接地電位との間に導電路が接続された第２のトランジスタＴＲ２と、前記第１および第２のトランジスタＴＲ１，ＴＲ２を、交互に導通する期間を設けた所定周波数の制御信号で駆動する制御回路ＣＯＮＴとで構成されている。
【００１２】
図６の従来回路と異なるのは、トランジスタＴＲ０，制御回路ＣＯＮＴ１を削除する一方で、ダイオードＤ８，Ｄ９を追加したことである。
ダイオードＤ８、Ｄ９をトランジスタＴＲ１、ＴＲ２のコレクタに接続することにより、トランジスタＴＲ１、ＴＲ２がＯＮの時には、これらトランジスタＴＲ１，ＴＲ２が従来のブースとコンバータのトランジスタＴＲ０の役割を担い、リアクトルＬ１にエネルギーを蓄える機能を担う。従来のブーストコンバータとプッシュプルコンバータとが複合された回路構成となっている。
ダイオードＤ５は、平滑コンデンサＣ１の充電電圧が逆流しないようにするものである。また、ダイオードＤ８、Ｄ９はトランスＴ１の１次側の第１巻線Ｎ１、第２巻線Ｎ２に流れる電流が平滑コンデンサＣ１に逆流して流れ込むのを防止するものである。
【００１３】
トランジスタＴＲ１、ＴＲ２は、制御回路ＣＯＮＴの制御信号ＣＳ１，ＣＳ２によってスイッチングされる。制御回路ＣＯＮＴは、出力側の整流回路ＲＣ２の出力電圧を監視し、出力電圧が一定に維持されるように、トランジスタＴＲ１，ＴＲ２のＯＮ時間を制御する。すなわち、整流回路ＲＣ２の出力電圧が所定電圧より降下した場合には、ＯＮ時間を長くするように制御し、所定電圧より上昇した場合にはＯＮ時間を短くするように制御する。なお、スイッチングの１周期は一定である。
【００１４】
図２は、制御回路ＣＯＮＴが出力する制御信号ＣＳ２，ＣＳ１、トランジスタＴＲ２，ＴＲ１のコレクタ電圧ＶＴＲ２，ＶＴＲ１、コレクタ電流ＩＴＲ２、ＩＴＲ１の波形を示す図である。
【００１５】
以下、この波形図を参照して図１の実施形態の動作を説明する。
まず、制御回路ＣＯＮＴは、図２（ａ），（ｂ）に示すように所定の周期（例えば２０μｓ）でトランジスタＴＲ１，ＴＲ２をＯＮさせる制御信号を出力する。これにより、トランジスタＴＲ１，ＴＲ２は交流入力電圧の周波数より十分に高い周波数でスイッチングされる。
一方、平滑コンデンサＣ１は、入力側の整流回路ＲＣ１の整流出力電圧がリアクトルＬ１の一端に加えられている状態でダイオードＤ５を介して充電される。
【００１６】
図２（ｃ）に示すように時間ｔ１においてトランジスタＴＲ２をＯＮさせる制御信号ＣＳ２が制御回路ＣＯＮＴからトランジスタＴＲ２のベースに入力されると、トランジスタＴＲ２がＯＮし、このＯＮ状態のトランジスタＴＲ２を通して、リアクトルＬ１→ダイオードＤ９→トランジスタＴＲ２→接地電位の経路の電流と、平滑コンデンサＣ１→トランスＴ１の第２巻線Ｎ２→トランジスタＴＲ２→接地電位の経路の電流が流れる。この状態のコレクタ電流ＩＴＲ２を図２（ｄ）に示している。この時間ｔ１においてはトランジスタＴＲ２がＯＮ状態であるので、そのコレクタ電圧ＶＴＲ２は図２（ｃ）に示すように接地電位である。
また、リアクトルＬ１には、ダイオードＤ９→トランジスタＴＲ２→接地電位の経路で電流が流れ、エネルギーが蓄えられる。
【００１７】
時間ｔ２になり、トランジスタＴＲ２が制御信号ＣＳ２によってＯＦＦになると、前記の経路の電流は流れなくなり、トランジスタＴＲ２のコレクタ電圧ＶＴＲ２は図２（ｃ）に示すように平滑コンデンサＣ１の充電電圧まで上昇する。
また、トランジスタＴＲ２がＯＮからＯＦＦに変化することにより、リアクトルＬ１に蓄積されたエネルギーがダイオードＤ５を通して平滑コンデンサＣ１に加えられる。これにより、平滑コンデンサＣ１には、整流回路ＲＣ１の整流出力電圧に対しリアクトルＬ１に蓄積されたエネルギーが重畳して加えられることになり、平滑コンデンサＣ１の充電電圧は昇圧され、ステップアップレベルＬ２まで上昇する。この結果、ＯＦＦになっているトランジスタＴＲ２のコレクタ電圧ＶＴＲ２も図２（ｃ）のようにステップアップレベルＬ２まで上昇する。
【００１８】
平滑コンデンサＣ１の充電電圧がステップアップレベルＬ２になっている状態で、時間ｔ３において制御信号ＣＳ１によりトランジスタＴＲ１がＯＮされる。すると、平滑コンデンサＣ１の出力→トランスＴ１の第１巻線Ｎ１→トランジスタＴＲ１→接地電位の経路で電流が流れる。すなわち、トランスＴ１の第１巻線Ｎ１に矢印Ｂ方向の電流が流れる。このときのトランジスタＴ１のコレクタ電流ＩＴＲ１を図２（ｆ）に、コレクタ電圧ＶＴＲ１を図２（ｅ）に示している。
トランスＴ１の第１巻線Ｎ１に矢印Ｂ方向に流れる電流は、平滑コンデンサＣ１の充電電圧がステップアップレベルＬ２まで昇圧されているため、整流回路ＲＣ１の整流出力電圧のみで充電していた場合より、電流値が大きい。
これにより、トランスＴ１の２次側の整流回路ＲＣ２の直流出力電圧は、トランスＴ１の第１巻線Ｎ１に矢印Ｂ方向に流れる電流値に比例したものとなる。
また、トランジスタＴＲ１がＯＮしていることにより、リアクトルＬ１にはダイオードＤ８→トランジスタＴＲ１→接地電位の経路で電流が流れ、エネルギーが蓄えられる。
【００１９】
次に時間ｔ４になり、トランジスタＴＲ１がＯＮからＯＦＦになると、リアクトルＬ１に蓄積された電流エネルギーがダイオードＤ５を通して平滑コンデンサＣ１に加えられる。これにより、平滑コンデンサＣ１には、整流回路ＲＣ１の整流出力電圧に対しリアクトルＬ１に蓄積された電流エネルギーが重畳して加えられることになり、平滑コンデンサＣ１の充電電圧は昇圧され、ステップアップレベルＬ２まで上昇する。この結果、ＯＦＦになっているトランジスタＴＲ１のコレクタ電圧ＶＴＲ２も図２（ｅ）のようにステップアップレベルＬ２まで上昇する。
【００２０】
平滑コンデンサＣ１の充電電圧がステップアップレベルＬ２になっている状態で、時間ｔ５において制御信号ＣＳ１によりトランジスタＴＲ１がＯＮされる。すると、平滑コンデンサＣ１の出力→トランスＴ１の第２巻線Ｎ２→トランジスタＴＲ２→接地電位の経路で電流が流れる。すなわち、トランスＴ１の第２巻線Ｎ１に矢印Ａ方向の電流が流れる。このときのトランジスタＴＲ１のコレクタ電流ＩＴＲ１を図２（ｄ）に、コレクタ電圧ＶＴＲ１を図２（ｃ）に示している。
トランスＴ１の第２巻線Ｎ２に矢印Ｂ方向に流れる電流は、平滑コンデンサＣ１の充電電圧がステップアップレベルＬ２まで昇圧されているため、整流回路ＲＣ１の整流出力電圧のみで充電していた場合より、電流値が大きい。
これにより、トランスＴ１の２次側の整流回路ＲＣ２の直流出力電圧は、トランスＴ１の第２巻線Ｎ２に矢印Ａ方向に流れる電流値に比例したものとなる。
以降は、以上の動作が同様に繰り返される。
【００２１】
以上のことから分かるように、本実施形態は、トランジスタＴＲ１，ＴＲ２がＯＮしている期間を活用し、ダイオードＤ８，Ｄ９を介してリアクトルＬ１に電流を流し、昇圧用の電流エネルギーを蓄え、この蓄えた電流エネルギーをＯＮ状態となっていたトランジスタがＯＦＦ状態に変化した次の時間に平滑コンデンサＣ１に重畳して加え、平滑コンデンサＣ１の充電電圧を昇圧し、その昇圧された平滑コンデンサＣ１の充電電圧をＯＦＦ状態からＯＮ状態に変化したトランジスタを通じてトランスＴ１の１次側の巻線（Ｎ１またはＮ２）に流し、トランスＴ１の２次側の整流回路ＲＣ２から所定の直流電圧を出力するようにしたものである。
【００２２】
このようにダイオードＤ８，Ｄ９を追加しただけで、制御回路が１個に削減され、コストを削減することができる。また、制御回路が１個になったことにより、ビート発振などの誤動作が起こらなくなり、出力から安定した出力電圧を出力することができる。
【００２３】
ここで、リアクトルＬ１に流す電流の時間が長くなると、リアクトルＬ１が磁気的に飽和し、リアクトルＬ１としての機能を果たさなくなることがある。実施に当っては、リアクトルＬ１のインダクタンス値とトランジスタＴＲ１，ＴＲ２のスイッチング周波数とを、リアクトルＬ１の磁気飽和が起こらないように選定するのが望ましい。
すなわち、図３（ｅ）、（ｆ）に示すように、リアクトルＬ１の蓄積エネルギーが解放（リセット）されないうちにリアクトルＬ１へ次の周期の入力電圧を入力すると、リアクトルＬ１の電流がゼロにならないで連続して流れる現象が生じる。これは電流連続モードと言われるものである。また、図３（ｃ）、（ｄ）に示すように、リアクトルＬ１の電流がゼロになった直後、またはゼロになる直前に次の周期の入力電圧を入力すると、電流連続モードの臨界点で動作する現象が生じる。これらの現象はリアクトルＬ１の磁気飽和の原因となり、リアクトル本来の機能を正常に発揮させなくなる。
そこで、図３（ａ），（ｂ）に示すように、リアクトルＬ１の蓄積エネルギーが充分に解放され、ゼロの電流値が一定期間だけ続く電流不連続期間が確保できる電流不連続モードでリアクトルＬ１を駆動するように、リアクトルＬ１のインダクタンス値とトランジスタＴＲ１，ＴＲ２のスイッチング周波数とを選定するのが望ましい。リアクトルＬ１を電流不連続モードで駆動することにより、リアクトルの磁気飽和を確実に防止できることから入力側の力率を改善することができる。
図２（ｇ）にリアクトルＬ１の電流波形を示している。
【００２４】
なお、図１の構成では、リアクトルＬ１に交流電源電圧を整流する整流回路ＲＣ１の直流出力電圧を入力しているが、図４の第２の実施形態に示すように、電池Ｅの直流電圧を入力するように構成することもできる。このように構成した場合、ＤＣ／ＤＣコンバータとして使用することができる。
【００２５】
また、トランジスタＴＲ１とＴＲ２の両方がＯＦＦの時にトランスＴ１の１次側巻線から平滑コンデンサＣ１に逆流する電流が何等かの原因で流れることがあるが、図５の第３の実施形態に示すように、トランスＴ１の第１巻線Ｎ１と第２巻線Ｎ２との接続点とダイオードＤ５のカソードとの間にダイオードＤ１０を接続し、平滑コンデンサＣ１に逆流する電流を遮断することにより、トランジスタＴＲ１とＴＲ２の両方がＯＦＦの時の平滑コンデンサＣ１の充電電圧を安定化することにより、２次側の整流回路ＲＣ２の出力電圧を安定化することができる。
【００２６】
以上説明した実施形態のスイッチング電源装置は、原理的には、次のような電圧変換制御方法として言い換えることができる。
すなわち、入力電圧をリアクトルを介して平滑コンデンサに充電し、その充電電圧をトランスと２つのスイッチング素子により所定周波数で交互にチョッピングし、トランスの出力側に所定周波数の交番電圧を発生させ、その交番電圧を整流して出力する電圧変換装置において、前記２つのスイッチング素子のうちオン状態となっているスイッチング素子を介して前記リアクトルに電流を流し、オン状態となっていたスイッチング素子がオフ状態に変化する際に前記リアクトルに蓄えられた電流エネルギーを前記平滑コンデンサに重畳印加して該平滑コンデンサの充電電圧を昇圧し、その昇圧された充電電圧をオフ状態からからオン状態に変化する他方のスイッチング素子を介して前記トランスの入力側に入力し、トランスの出力側に所定周波数の交番電圧を発生させ、その交番電圧を整流して出力する。
【００２７】
【発明の効果】
以上説明したように本発明によれば、リップル電圧等が発生しない安定した直流出力電圧を得ることができ、しかも制御回路を２個から１個に削減し、回路構成を簡単にし、コストを低減させることができる。
【図面の簡単な説明】
【図１】本発明を適用したスイッチング電源装置の第１の実施の形態を示す回路構成図である。
【図２】図１の構成における通常状態の動作を示す各部の波形図である。
【図３】図１の構成においてリアクトルの電流連続モードと不連続モードとについて説明する波形図である。
【図４】本発明の第２の実施の形態を示す回路構成図である。
【図５】本発明の第３の実施の形態を示す回路構成図である。
【図６】従来のスイッチング電源装置の回路構成図である。
【図７】従来のスイッチング電源装置の動作を説明する波形図である。
【符号の説明】
ＲＣ１…入力側の整流回路、ＲＣ２…出力側の整流回路、Ｄ１〜Ｄ４…入力側整流回路のダイオード、Ｌ１…リアクトル、Ｄ６〜Ｄ７…出力側整流回路のダイオード、Ｄ５、Ｄ８，Ｄ９…ダイオード、Ｃ１…平滑コンデンサ、ＴＲ１、ＴＲ２…トランジスタ、Ｔ１…トランス、ＣＯＮＴ…制御回路、Ｅ…電池、Ｄ１０…ダイオード。
【図１】
2004304970.tif 000003
【図２】
2004304970.tif 000004
【図３】
2004304970.tif 000005
【図４】
2004304970.tif 000006
【図５】
2004304970.tif 000007
【図６】
2004304970.tif 000008
【図７】
2004304970.tif 000009